(57)【要約】【課題】内部の熱を効率よく外部に放出することが可能な街路灯設置用ポールを提供する。【解決手段】街路灯設置用ポール１００は、略鉛直方向に沿って設置されるポール状の筐体２０を備えており、筐体の下部には、外部の空気を内部空間に取り入れる下側スリット２３が設けられ、筐体の上部には、内部空間の空気を外部に排出する上側スリット２５が設けられている。そして、筐体２０の内部空間の装置５０が設置される位置の上側には、下側スリット２３から取り入れた空気（装置５０により温められた空気）が上側スリット２５から排出されるまでの間に通過する流路が形成された排気管３４が設けられている。【選択図】図２
2018195501.tif 000002
【特許請求の範囲】
【請求項１】
発熱する装置が設置される内部空間を有し、略鉛直方向に沿って設置されるポール状の筐体を備え、
前記筐体の下部には、外部の空気を前記内部空間に取り入れる第１開口が設けられ、前記筐体の上部には、前記内部空間の空気を外部に排出する第２開口が設けられ、
前記内部空間の前記装置が設置される位置の上側には、前記第１開口から取り入れられ前記装置により熱せられた空気が前記第２開口から排出されるまでの間に通過する、前記筐体よりも断面積が小さい流路が設けられている、ことを特徴とする街路灯設置用ポール。
【請求項２】
前記筐体の内部空間に設けられ、前記装置により熱せられた空気を前記流路に導く誘導部材を備える請求項１に記載の街路灯設置用ポール。
【請求項３】
前記誘導部材は、上端部の開口の径よりも下端部の開口の径の方が大きいテーパ管状の部分を有することを特徴とする請求項２に記載の街路灯設置用ポール。
【請求項４】
前記テーパ管状の部分の前記上端部の開口の一部を塞ぐことで、該テーパ管状の部分を通過する空気の流量を調整する調整部材を備える請求項３に記載の街路灯設置用ポール。
【請求項５】
前記誘導部材を保持可能な複数の保持部が、前記筐体の内部の異なる高さ位置に設けられていることを特徴とする請求項２〜４のいずれか一項に記載の街路灯設置用ポール。
【請求項６】
前記流路は、前記内部空間に設けられる排気管内の空間を含むことを特徴とする請求項１〜５のいずれか一項に記載の街路灯設置用ポール。
【請求項７】
前記流路は、前記装置の直上の物体が存在しない空間であることを特徴とする請求項１〜５のいずれか一項に記載の街路灯設置用ポール。
【請求項８】
前記筐体の内部の温度を計測する計測装置を備える請求項１〜７のいずれか一項に記載の街路灯設置用ポール。
【請求項９】
前記計測装置を複数備え、
複数の前記計測装置は、前記筐体の内部の異なる高さ位置に設けられていることを特徴とする請求項８に記載の街路灯設置用ポール。
【請求項１０】
前記第２開口から排出される空気の消臭を行う消臭装置を備える請求項１〜９のいずれか一項に記載の街路灯設置用ポール。
【請求項１１】
前記消臭装置は、前記第２開口から排出される空気と接触して消臭を行う光触媒部を有することを特徴とする請求項１０に記載の街路灯設置用ポール。
【請求項１２】
前記筐体の一部に灯具が設けられ、
前記灯具の光が、前記光触媒部に当たることを特徴とする請求項１１に記載の街路灯設置用ポール。
【発明の詳細な説明】
【技術分野】
【０００１】
本発明は、街路灯設置用ポールに関する。
【背景技術】
【０００２】
国土交通省では、景観や観光の観点、安全性や快適性の観点、防災の観点から、無電柱化を推進している。無電柱化が進むと、従来、電柱に取りつけられることが多かった、街路灯や防犯カメラ、スピーカ等を設置する場所がなくなる。特に街路灯は安全性等の面から必要不可欠であるため、最近では、街路灯設置用のポールを路上に設置し、このポールに複数の機能をもたせることが検討されている。
【先行技術文献】
【特許文献】
【０００３】
【特許文献１】特開２０１５−１９８０７９号公報
【発明の概要】
【発明が解決しようとする課題】
【０００４】
複数の機能を有する街路灯設置用のポールの内部には、種々の装置が実装される。ポールの内部に設置される装置は熱を発生することから、ポール内の熱対策が重要となる。
【０００５】
１つの側面では、本発明は、内部の熱を効率よく外部に放出することが可能な街路灯設置用ポールを提供することを目的とする。
【課題を解決するための手段】
【０００６】
一つの態様では、街路灯設置用ポールは、発熱する装置が設置される内部空間を有し、略鉛直方向に沿って設置されるポール状の筐体を備え、前記筐体の下部には、外部の空気を前記内部空間に取り入れる第１開口が設けられ、前記筐体の上部には、前記内部空間の空気を外部に排出する第２開口が設けられ、前記内部空間の前記装置が設置される位置の上側には、前記第１開口から取り入れられ前記装置により熱せられた空気が前記第２開口から排出されるまでの間に通過する、前記筐体よりも断面積が小さい流路が設けられている。
【発明の効果】
【０００７】
内部の熱を効率よく外部に放出することができる。
【図面の簡単な説明】
【０００８】
【図１】一実施形態に係る街路灯設置用ポールの外観図である。
【図２】図１の街路灯設置用ポールの内部を概略的に示す断面図である。
【図３】図３（ａ）は、下側スリット近傍を示す図であり、図３（ｂ）、図３（ｃ）は、下側スリット及び上側スリットの変形例を示す図である。
【図４】漏斗状部材を示す斜視図である。
【図５】図５（ａ）は、変形例１にかかる街路灯設置用ポールの内部を概略的に示す断面図であり、図５（ｂ）は、変形例２にかかる街路灯設置用ポールの内部を概略的に示す断面図である。
【図６】図６（ａ）、図６（ｂ）は、変形例３にかかる街路灯設置用ポールの内部を概略的に示す断面図である。
【図７】変形例４にかかる街路灯設置用ポールの内部を概略的に示す断面図である。
【発明を実施するための形態】
【０００９】
以下、街路灯設置用ポールの一実施形態について、図１〜図４に基づいて詳細に説明する。
【００１０】
図１には、本実施形態にかかる街路灯設置用ポール１００の外観図が示されている。図１に示す街路灯設置用ポール１００は、その上端部に灯具１０を有しており、街中（例えば路肩など）に設置される。街路灯設置用ポール１００は、その長手方向が鉛直方向と略一致した状態で設置される。
【００１１】
街路灯設置用ポール１００は、筐体２０と、灯具１０と、を備える。図２は、街路灯設置用ポール１００の内部を模式的に示す断面図である。
【００１２】
筐体２０は、例えば、鉄やアルミニウムなどの金属を材料とし、内部が中空で、少なくとも上端部が開口した円筒形状を有している。筐体２０は、例えば、直径（外径）が２０〜５０ｃｍ程度であり、高さが５〜１５ｍ程度であるものとする。筐体２０には、図１に示すように蓋２２が設けられており、作業者等が蓋２２を開けることで、筐体２０の内部空間にアクセスできるようになっている。なお、通常時には、蓋２２には鍵がかけられており、作業者等以外の人は蓋２２を開けられないようになっている。
【００１３】
筐体２０の内部には、図２に示すように、保持部としての複数の棚部３０が設けられている。なお、棚部３０は、実際には、筐体２０の内周面に沿って設けられた円環状の部材である。いずれかの高さの棚部３０には、後述する漏斗状部材３２が設けられる。
【００１４】
また、筐体２０の内部空間には、携帯電話基地局、無線機等の装置５０を設置することが可能である。装置５０が、重量が大きい場合や、筐体２０の上部に設置する必要がない場合には、図２に示すように筐体２０の下部に設置される。なお、装置５０は、発熱するため、発熱体であるといえる。
【００１５】
筐体２０の下部の所定高さには、筐体２０の外周面に沿って、第１開口としての複数の下側スリット２３が均一な間隔で形成されている。図３（ａ）には、筐体２０の下側スリット２３近傍が示されている。図３（ａ）に示すように、下側スリット２３は、長方形形状であり、筐体２０に貫通形成されている。下側スリット２３により、外部の空気を筐体２０の内部に取り入れることが可能となっている。
【００１６】
筐体２０の下側スリット２３近傍には、図３（ａ）において点線で示すような傘状の形状を有する下側カバー２４が設けられている。下側カバー２４は、雨や虫、猫や犬などの尿などの異物が、下側スリット２３を介して筐体２０内に入り込むのを抑制するために設けられている。一方、下側カバー２４と地面との間には隙間が形成されており、下側カバー２４が下側スリット２３による空気の取り入れを阻害しないようになっている。なお、下側カバー２４の形状としては、図３（ａ）以外の形状を採用してもよい。
【００１７】
図２に戻り、筐体２０の上部の所定高さには、筐体２０の外周面に沿って、第２開口としての複数の上側スリット２５が均一な間隔で形成されている。なお、上側スリット２５の形状は、図３（ａ）に示す下側スリット２３と同様、長方形形状であるものとする。また、上側スリット２５それぞれの開口面積の合計と、下側スリット２３それぞれの開口面積の合計は同一に設定されている。これにより、下側スリット２３を介した筐体２０内部への空気の取り入れ量と、上側スリット２５を介した筐体２０内部からの空気の排出量とを同一にすることができる。
【００１８】
筐体２０の上側スリット２５近傍には、傘状の上側カバー２６が設けられている。この上側カバー２６も、下側カバー２４と同様、傘状の形状を有し、雨や虫などの異物が上側スリット２５を介して筐体２０の内部に入り込むのを抑制している。
【００１９】
なお、本実施形態では、上側スリット２５及び下側スリット２３を介して筐体２０内に虫が入りにくくなるように、各スリットを長方形形状としているが、これに限られるものではない。例えば、図３（ｂ）に示すように、上側スリット２５及び下側スリット２３を円形形状としてもよいし、例えば、図３（ｃ）に示すように、円形形状の下半分を略三角形状とした、逆向きの涙型形状とすることで、空気の流れを良好にするようにしてもよい。
【００２０】
筐体２０の上端部には、消臭装置としての光触媒部４０が設けられている。光触媒部４０は、筐体２０の上部開口を塞いでおり、筐体２０内に設けられた仕切り部材３８とともに、排気空間３６を形成している。排気空間３６は、上側スリット２５を介して筐体２０の外部と連通した状態となっている。排気空間３６内の空気は、光触媒部４０に接触することで、光触媒部４０により消臭されるようになっている。
【００２１】
ここで、光触媒部４０の上側には、プラスチックやガラス等を材料とする透明部材１６が設けられ、透明部材１６の上に灯具１０が設けられている。このため、昼間においては、太陽光が透明部材１６を透過して、光触媒部４０に当たり、夜間においては、灯具１０の光が透明部材１６を透過して、光触媒部４０に当たるようになっている。これにより、昼間も夜間も、光触媒部４０による消臭が行われることになる。
【００２２】
筐体２０の内部の棚部３０のいずれかには、誘導部材としての漏斗状部材３２が設けられている。漏斗状部材３２の上端には、排気管３４の下端が接続されている。排気管３４の上端は、筐体２０内に設けられた仕切り部材３８に接続され、排気空間３６と連通した状態となっている。なお、排気管３４は、筐体２０内において、筐体２０よりも断面積が小さい空気の流路を形成しているといえる。
【００２３】
図４には、漏斗状部材３２が斜視図にて示されている。漏斗状部材３２は、図４に示すように、中心に円形の貫通孔１３２が形成された円盤状部分３２ａと、円盤状部分３２ａの上面に固定されたテーパ状部分３２ｂと、を有する。円盤状部分３２ａの外径は、筐体２０の内径とほぼ同一である。このため、筐体２０内に漏斗状部材３２が設置された状態では、円盤状部分３２ａの下面側と上面側における空気の移動は、貫通孔１３２を介した移動のみとなる。テーパ状部分３２ｂは、上端部の開口の径よりも下端部の開口の径の方が大きいテーパ管状の形状を有し、下端部の開口の大きさが、円盤状部分３２ａの貫通孔１３２の大きさと略一致している。ここで、漏斗状部材３２の材料は、金属であるものとする。
【００２４】
排気管３４は、例えば蛇腹形状を有し、全長を変更できるものとする。すなわち、漏斗状部材３２を棚部３０のいずれに設置した場合でも、漏斗状部材３２と排気管３４とを接続することが可能となっている。なお、排気管３４は、蛇腹形状でなくてもよい。例えば、排気管３４は、複数段構造（伸縮ストローの如き構造）であってもよい。
【００２５】
本実施形態では、装置５０の近傍で暖められた空気に浮力が生じ、筐体２０内における煙突効果（stack effect）により、暖められた空気が、筐体２０の外部の空気を下側スリット２３を介して引き入れながら、漏斗状部材３２まで上昇する。そして、漏斗状部材３２まで到達した空気は、漏斗状部材３２によって筐体２０の中心に集められ、排気管３４に誘導される。そして、排気管３４内を上昇し、排気空間３６に入った空気は、光触媒部４０において消臭され、上側スリット２５を介して、外部に排出される。なお、本実施形態では、排気管３４が筐体２０の内部に設けられ、二重構造となっているため、排気管３４の内部と筐体２０の外部との温度差を大きくすることができる。これにより、効率よく空気の取り込みと排出を行うことができる。また、漏斗状部材３２がテーパ管状のテーパ状部分３２ｂを有しているので、筐体２０内を上昇してきた空気を確実に排気管３４内に誘導することができる。また、漏斗状部材３２は金属であるため、上昇してきた空気を冷やさずに（浮力を低下させずに）、排気管３４に誘導することができる。
【００２６】
ここで、筐体２０の下部には、犬や猫の尿などがかけられることがあり、これにより、筐体２０内部に取り込まれる空気が嫌な臭い（異臭）を放つ場合がある。このような場合にも、本実施形態においては、筐体２０内から外部に排出される空気が接触する位置に光触媒部４０が設けられているので、筐体２０の内部に取り込まれた空気を消臭したうえで、外部に排出することができる。
【００２７】
なお、筐体２０内における煙突効果が効果的に発揮されるためには、漏斗状部材３２の高さ位置を、筐体２０の直径の５倍以上とすることが好ましい。したがって、このような観点から、漏斗状部材３２の設置位置を検討することが好ましい。
【００２８】
ここで、図４に示すように、漏斗状部材３２の上端部、すなわち漏斗状部材３２と排気管３４との間には、調整部材としての円環状の流量調整部材４２を設けることができる。これにより、排気管３４に流れ込む空気の量を調整することができる。例えば、装置５０の発熱量が所定量よりも小さい場合に、流量調整部材４２を設けることで、排気管３４に流れ込む空気の量を少なく調整することができる。なお、流量調整部材４２は、図４のような円環状の部材に限られるものではない。例えば、開口の大きさを調整可能な構造を有する部材を流量調整部材４２として採用してもよい。
【００２９】
以上、詳細に説明したように、本実施形態の街路灯設置用ポール１００は、略鉛直方向に沿って設置されるポール状の筐体２０を備えており、筐体２０の下部には、外部の空気を内部空間に取り入れる下側スリット２３が設けられ、筐体２０の上部には、内部空間の空気を外部に排出する上側スリット２５が設けられている。そして、筐体２０の内部空間の装置５０が設置される位置の上側には、下側スリット２３から取り入れた空気（装置５０により温められた空気）が上側スリット２５から排出されるまでの間に通過する、筐体２０よりも断面積が小さい流路が形成された排気管３４が設けられている。これにより、装置５０近傍で暖められて上昇してきた空気及び煙突効果により外部から引き込まれた空気を確実に上側スリット２５まで送ることができる。したがって、装置５０の周辺の高温の空気が外部に効率よく排出されるため、筐体２０の内部の熱を効率よく外部に放出することが可能である。また、本実施形態では、熱せられた空気が排気管３４内を通過するため、排気管３４の近傍に他の装置が設置される場合でも、熱せられた空気による他の装置に対する熱的な影響が生じないようになっている。
【００３０】
また、本実施形態では、装置５０により熱せられ、上昇してきた空気を排気管３４に導く漏斗状部材３２を備えているため、上昇してきた空気を確実に排気管３４に導き、上側スリット２５まで送ることが可能である。
【００３１】
また、本実施形態では、漏斗状部材３２を保持可能な複数の棚部３０が、筐体の内部の異なる高さ位置に設けられている。これにより、漏斗状部材３２を適切な高さ位置に設けることが可能となる。また、本実施形態では、排気管３４が蛇腹状であるため、漏斗状部材３２の位置を変更しても、排気管３４を交換せずに、排気管３４の下端部と漏斗状部材３２の上端部とを接続することができる。ただし、これに限らず、漏斗状部材３２の高さ位置を変更した場合に、適した長さの排気管３４に変更することとしてもよい。
【００３２】
また、本実施形態では、上側スリット２５から外部に排出される空気が接触する位置に光触媒部４０が設けられている。これにより、外部に排出される空気の消臭を行うことができる。したがって、街路灯設置用ポール１００の下部に犬や猫などの尿がかけられることにより、異臭を放つ空気が筐体２０内に取り込まれた場合であっても、筐体２０からは、消臭された空気を外部に排出することができる。
【００３３】
また、本実施形態では、灯具１０と光触媒部４０との間に透明部材１６が設けられているので、夜間であっても、光触媒部４０に光を当てることができる。これにより、昼夜を問わず、光触媒部４０は消臭機能を発揮することができる。
【００３４】
なお、上記実施形態では、排気管３４の下側に漏斗状部材３２を設ける場合について説明したが、これに限られるものではない。例えば、漏斗状部材３２に代えて、図４の円盤状部分３２ａのみを有する部材を設けることとしてもよい。また、排気管３４を設けずに、漏斗状部材３２のみを設けてもよい。この場合、漏斗状部材３２のテーパ状部分３２ｂを図２よりも長くしてもよい。
【００３５】
なお、上記実施形態では、筐体２０の上端部に排気空間３６が設けられている場合について説明したが、これに限らず、排気空間３６は設けられていなくてもよい。
【００３６】
（変形例１）
なお、上記実施形態では、筐体２０の上端部に排気空間３６を設け、排気空間３６内の空気を光触媒部４０が消臭する場合について説明したが、これに限られるものではない。例えば、図５（ａ）に示すように、筐体２０に排気空間３６を設けずに、筐体２０の内部と外部とを連通する空気の流路１４０ａが形成された光触媒部１４０を筐体２０の上端部に設けることとしてもよい。この場合、排気管３４の内部と流路１４０ａとが連通するように、排気管３４の上端を光触媒部１４０の下面に接続することで、排気管３４内の空気を流路１４０ａ内に送ることができる。このように、図５（ａ）のような構成を採用することにより、空気と光触媒部１４０とが接触しやすくなるため、空気の消臭効果を向上することが可能となる。
【００３７】
（変形例２）
なお、上記実施形態において、図５（ｂ）に示すように、筐体２０の内部に計測装置としての複数の温度センサ４５を設けてもよい。この場合、複数の高さ位置それぞれに複数個の温度センサ４５を設けることで、筐体２０内の温度分布を測定することができる。複数の温度センサ４５は、筐体２０内に設けられるゲートウェイに接続される。なお、ゲートウェイとの接続は有線接続でもよいが、筐体２０内の配線数を減らすため、無線接続であってもよい。ゲートウェイからは、有線又は無線により、温度センサ４５の測定結果がデータセンタ等に送信される。これにより、データセンタでは、街路灯設置用ポール１００内の温度に関する管理を行うことができる。
【００３８】
（変形例３）
なお、上記実施形態では、排気管３４や漏斗状部材３２を筐体２０内に設ける場合について説明したが、これに限られるものではない。例えば、発熱が比較的大きい装置５０Ａと、発熱が比較的小さい装置５０Ｂ，５０Ｃとを筐体２０内に配置する場合、装置５０Ｂ，５０Ｃを装置５０Ａの上方に配置することになるが、この場合には、図６（ａ）に示すように、装置５０Ａは、筐体２０の最下部の、上部に障害物がない位置に設置することとし、装置５０Ｂ，５０Ｃは、装置５０Ａの直上以外の位置に設置する。この場合、筐体２０内には、装置５０Ｂ，５０Ｃを載置する台（台状の部材）７０Ｂ，７０Ｃが設けられる。このようにすることで、装置５０Ａにより温められた空気は、装置５０Ｂ，５０Ｃが存在しない部分を通って、筐体２０の上端部まで上昇する。この場合、高温の空気は直線的に上昇するため、台７０Ｂ，７０Ｃを回り込んで、装置５０Ｂ，５０Ｃに対して熱的な影響を抑制することができる。このように、本変形例３においては、装置５０Ａの直上で、台７０Ｂ，７０Ｃが存在しない範囲が、筐体２０の断面積よりも小さい空気の流路となっている。
【００３９】
なお、図６（ｂ）に示すように、装置５０Ｂ，５０Ｃを設置する台７０Ｂ，７０Ｃに縁６０Ｂ、６０Ｃを設けることとしてもよい。これにより、装置５０Ｂ，５０Ｃ側に高温の空気が回り込むのをより効果的に抑制することができる。
【００４０】
（変形例４）
なお、上記実施形態と変形例３とを組み合わせてもよい。すなわち、図７に示すように、図６（ａ）の構成に加え、筐体２０内に、漏斗状部材２３２と、排気管３４とを設けることとしてもよい。この場合、漏斗状部材２３２のテーパ状部分は、中心からずれた位置に設けられるものとする。このようにすることで、装置５０Ａに熱せられた空気を上側スリット２５近傍まで確実に誘導することができる。なお、図７の筐体２０内に、図２と同様、排気空間３６を設けることとしてもよい。
【００４１】
なお、上記実施形態及び変形例では、筐体２０から排出される空気を消臭するために、光触媒部４０を設ける場合について説明したが、これに限らず、その他の消臭装置を設けることとしてもよい。例えば、活性炭フィルタなどの脱臭機能を有する装置や消臭剤を設けることとしてもよい。
【００４２】
上述した実施形態は本発明の好適な実施の例である。但し、これに限定されるものではなく、本発明の要旨を逸脱しない範囲内において種々変形実施可能である。例えば、一実施形態又はいずれかの変形例と、他の変形例の構成を適宜選択して組み合わせてもよい。
【００４３】
なお、以上の実施形態及び変形例の説明に関して、更に以下の付記を開示する。
（付記１）  発熱する装置が設置される内部空間を有し、略鉛直方向に沿って設置されるポール状の筐体を備え、
前記筐体の下部には、外部の空気を前記内部空間に取り入れる第１開口が設けられ、前記筐体の上部には、前記内部空間の空気を外部に排出する第２開口が設けられ、
前記内部空間の前記装置が設置される位置の上側には、前記第１開口から取り入れられ前記装置により熱せられた空気が前記第２開口から排出されるまでの間に通過する、前記筐体よりも断面積が小さい流路が設けられている、ことを特徴とする街路灯設置用ポール。
（付記２）  前記筐体の内部空間に設けられ、前記装置により熱せられた空気を前記流路に導く誘導部材を備える付記１に記載の街路灯設置用ポール。
（付記３）  前記誘導部材は、上端部の開口の径よりも下端部の開口の径の方が大きいテーパ管状の部分を有することを特徴とする付記２に記載の街路灯設置用ポール。
（付記４）  前記テーパ管状の部分の前記上端部の開口の一部を塞ぐことで、該テーパ管状の部分を通過する空気の流量を調整する調整部材を備える付記３に記載の街路灯設置用ポール。
（付記５）  前記誘導部材を保持可能な複数の保持部が、前記筐体の内部の異なる高さ位置に設けられていることを特徴とする付記２〜４のいずれかに記載の街路灯設置用ポール。
（付記６）  前記流路は、前記内部空間に設けられる排気管内の空間を含むことを特徴とする付記１〜５のいずれかに記載の街路灯設置用ポール。
（付記７）  前記排気管は、伸縮自在であることを特徴とする付記６に記載の街路灯設置用ポール。
（付記８）  前記流路は、前記装置の直上の物体が存在しない空間であることを特徴とする付記１〜５のいずれかに記載の街路灯設置用ポール。
（付記９）  前記筐体の内部の温度を計測する計測装置を備える付記１〜８のいずれかに記載の街路灯設置用ポール。
（付記１０）  前記計測装置を複数備え、
複数の前記計測装置は、前記筐体の内部の異なる高さ位置に設けられていることを特徴とする付記９に記載の街路灯設置用ポール。
（付記１１）  前記第２開口から排出される空気の消臭を行う消臭装置を備える付記１〜１０のいずれかに記載の街路灯設置用ポール。
（付記１２）  前記消臭装置は、前記第２開口から排出される空気と接触して消臭を行う光触媒部を有することを特徴とする付記１１に記載の街路灯設置用ポール。
（付記１３）  前記筐体の一部に灯具が設けられ、
前記灯具の光が、前記光触媒部に当たることを特徴とする付記１２に記載の街路灯設置用ポール。
（付記１４）  前記光触媒部に形成された空気の流路を通過する間に、前記空気が消臭されることを特徴とする付記１２又は１３に記載の街路灯設置用ポール。
（付記１５）  前記第１開口及び前記第２開口の少なくとも一方には、空気以外の異物の通過を抑制するカバーが設けられていることを特徴とする付記１〜１４のいずれかに記載の街路灯設置用ポール。
【符号の説明】
【００４４】
１０  灯具
２０  筐体
２３  下側スリット（第１開口）
２５  上側スリット（第２開口）
３０  棚部（保持部）
３２  漏斗状部材（誘導部材）
３２ｂ  テーパ状部分（テーパ管状の部分）
３４  排気管（流路）
４０  光触媒部（消臭装置）
４２  流量調整部材（調整部材）
４５  温度センサ（計測装置）
５０，５０Ａ〜５０Ｃ  装置
１００  街路灯設置用ポール
１４０ａ  流路
【図１】
2018195501.tif 000003
【図２】
2018195501.tif 000004
【図３】
2018195501.tif 000005
【図４】
2018195501.tif 000006
【図５】
2018195501.tif 000007
【図６】
2018195501.tif 000008
【図７】
2018195501.tif 000009